(57)【要約】  【課題】本発明は、カラオケ設備における管理ルームや歌唱ルームのそれぞれに備えられるインターホン間での送受話を行うインターホンシステムに関し、カラオケ施設における歌唱ルーム内で歌唱されている歌唱音声の有無に関わらず通話性の向上を安価に図ることを目的とする。  【解決手段】カラオケ施設内にはインターホン通信網１４が構築され、歌唱ルームに設置されたカラオケ演奏装置には歌唱者の歌唱音声信号を入力する音声入力手段を備え、入力した歌唱音声信号に基づいて調整信号を出力する信号出力手段を備えるもので、歌唱ルームに設置されてインターホン通信網１４に接続されるルームインターホン２３が当該信号出力手段より調整信号を入力し、受話音量設定回路３９が当該調整信号に応じて利得調整信号により増幅回路３２に対して受話音量を変化させる構成とする。  【選択図】  図２
2006337534.tif 000002
【特許請求の範囲】
【請求項１】
管理ルームおよび所定数の歌唱ルームを備えるカラオケ施設内に構築される送受話のためのインターホン通信網と、
前記カラオケ施設内のそれぞれの歌唱ルームに設置され、歌唱者の要求に応じて対応の楽曲映像を表示手段に表示させると共に、入力される歌唱者の歌唱音声を、増幅手段を介して可変自在な音量でスピーカより出力させる通常のカラオケ機能を有し、当該歌唱者の歌唱音声を入力する音声入力手段を備え、入力した当該歌唱音声に基づく調整信号を出力する信号出力手段を備えるカラオケ演奏装置と、
前記カラオケ施設の管理ルームに設置されて前記インターホン通信網に接続される管理側インターホンと、
前記カラオケ施設のそれぞれの歌唱ルームに設置されて前記インターホン通信網に接続されるもので、前記カラオケ演奏装置の前記信号出力手段より入力される前記調整信号に基づいて受話音量を調整する受話音量設定手段を備えるルームインターホンと、
を有することを特徴とするカラオケ施設のインターホンシステム。
【請求項２】
請求項1記載のカラオケ施設のインターホンシステムであって、前記カラオケ演奏装置の信号出力手段は前記歌唱音声の入力の有無に応じた調整信号を出力し、前記ルームインターホンの受話音量設定手段は入力される当該調整信号の前記歌唱音声の有無に対応させて受話音量を段階的に調整することを特徴とするカラオケ施設のインターホンシステム。
【請求項３】
請求項1記載のカラオケ施設のインターホンシステムであって、前記カラオケ演奏装置の信号出力手段は前記歌唱音声が入力された場合に前記増幅手段に対して操作された歌唱音声の音量レベルに応じた調整信号を出力し、前記ルームインターホンの受話音量設定手段は入力される前記調整信号の音量レベルに比例させて受話音量を調整することを特徴とするカラオケ施設のインターホンシステム。
【発明の詳細な説明】
【技術分野】
【０００１】
本発明は、カラオケ設備における管理ルームや歌唱ルームのそれぞれに備えられるインターホン間での送受話を行うインターホンシステムに関する。
【背景技術】
【０００２】
近年、カラオケ施設が至るところで開業されてきているなかで、当該施設内では複数の歌唱ルームが仕切られて管理ルームとの間で互いにインターホンにより必要内容の通話を行っているのが一般的である。この場合、歌唱ルーム内では歌唱によって聞き取りにくくなることから、音量の如何に関わらず通話性の向上を安価に図ることが望まれている。
【０００３】
一般に、インターホン同士の通話は、騒音等の周囲の音量が大きいと相手側からの通話内容が聞き取りにくくなる。そのため、周囲の音量に対しても通話内容や呼び出しを聞き取りやすくする手法が、以下の特許文献で提案されている。
【０００４】
下記特許文献１には、通話時に話し手の声量を自動調整し、聞き手に聞こえる声量が常に一定になるようなインターホンシステムが開示されており、具体的には、ロビーインターホンと、警報監視盤と、宅内インターホンとの間で、音声信号を増幅するアンプとを介して通話を行うものとして、通話用マイクに入力された話し手の声量を検出する検出回路と、当該検出回路が検出したレベルに基づき通話用スピーカーから出力される声量を所定のレベルにするためにアンプの利得を調整する利得調整回路とを有する通話音量自動調整回路を備えたものである。
【０００５】
また、下記特許文献２には、親機の周囲状況により親機から鳴動させる呼出音の音量を最適な音量に自動調節するためのインターホン装置が開示され、具体的には、玄関子機から親機を呼出して拡声スピーカから呼出音を鳴動させ、相互に通話のできるインターホン装置であって、親機は、玄関子機からの呼出時に人体感知センサで親機周辺の人の有無および騒音レベル検出回路で親機周辺の周囲騒音のレベルを検出して電子ボリュームを制御することにより拡声スピーカからの呼出音量を調節するためのＣＰＵを有する構成が開示されている。
【０００６】
【特許文献１】特開２００４−２０７８５５号公報
【特許文献２】特開２００２−２６１９４５号公報
【発明の開示】
【発明が解決しようとする課題】
【０００７】
ところで、上述のようにカラオケ施設における歌唱ルーム内では、音量を大として演奏や歌唱の迫力を増して楽しむことが一般的であり、当該歌唱ルーム内でインターホンを使用する場合に通話内容が聞き取りにくくなる傾向にある。しかしながら、これらカラオケ施設のインターホンシステムに上記特許文献１を適用させることがでない。すなわち、特許文献１記載の通話音量自動調整回路では話し手の声量を検出することから、カラオケ施設の歌唱ルーム内では演奏音や歌唱者の声量をも検出されることとなり、これらを分離させなければ適用することが困難であり、かつコスト高を招き、結局は適用することができないという問題がある。
【０００８】
一方、カラオケ施設のインターホンシステムに上記特許文献２記載の呼出音に関する技術を応用させることは可能であるが、人体監視センサや騒音レベル検出回路を新たに配設しなければならないこととなって既存のシステムに容易に適用することができず、コスト高を招くという問題がある。
【０００９】
そこで、本発明は上記課題に鑑みなされたもので、カラオケ施設における歌唱ルーム内で歌唱されている歌唱音声の有無に関わらず通話性の向上を安価に図るインターホンシステムを提供することを目的とする。
【課題を解決するための手段】
【００１０】
上記課題を解決するために、請求項１の発明では、管理ルームおよび所定数の歌唱ルームを備えるカラオケ施設内に構築される送受話のためのインターホン通信網と、前記カラオケ施設内のそれぞれの歌唱ルームに設置され、歌唱者の要求に応じて対応の楽曲映像を表示手段に表示させると共に、入力される歌唱者の歌唱音声を、増幅手段を介して可変自在な音量でスピーカより出力させる通常のカラオケ機能を有し、当該歌唱者の歌唱音声を入力する音声入力手段を備え、入力した当該歌唱音声に基づく調整信号を出力する信号出力手段を備えるカラオケ演奏装置と、前記カラオケ施設の管理ルームに設置されて前記インターホン通信網に接続される管理側インターホンと、前記カラオケ施設のそれぞれの歌唱ルームに設置されて前記インターホン通信網に接続されるもので、前記カラオケ演奏装置の前記信号出力手段より入力される前記調整信号に基づいて受話音量を調整する受話音量設定手段を備えるルームインターホンと、を有する構成とする。
【００１１】
請求項２、３の発明では、「前記カラオケ演奏装置の信号出力手段は前記歌唱音声の入力の有無に応じた調整信号を出力し、前記ルームインターホンの受話音量設定手段は入力される当該調整信号の前記歌唱音声の有無に対応させて受話音量を段階的に調整する」構成であり、
「前記カラオケ演奏装置の信号出力手段は前記歌唱音声が入力された場合に前記増幅手段に対して操作された歌唱音声の音量レベルに応じた調整信号を出力し、前記ルームインターホンの受話音量設定手段は入力される前記調整信号の音量レベルに比例させて受話音量を調整する」構成である。
【発明の効果】
【００１２】
本発明によれば、カラオケ施設内にはインターホン通信網が構築され、歌唱ルームに設置されたカラオケ演奏装置には歌唱者の歌唱音声信号を入力する音声入力手段を備え、入力した歌唱音声信号に基づいて調整信号を出力する信号出力手段を備えるもので、歌唱ルームに設置されてインターホン通信網に接続されるインターホンが当該信号出力手段より調整信号を入力し、受話音量設定手段が当該調整信号に応じて受話音量を変化させる構成とすることにより、歌唱ルーム内で歌唱されている歌唱音声の有無に関わらず通話性を向上させることができ、新たにセンサや検出回路を設けることなく既存の設備の範囲内で適用することができ、安価に構成させることができるものである。
【発明を実施するための最良の形態】
【００１３】
以下、本発明の最良の実施形態を図により説明する。
図１に、本発明に係るカラオケ施設のインターホンシステムの第１実施形態における全体構築の構成図を示す。図１において、インターホンシステム１１は、カラオケ施設内に管理ルーム（応接のフロント等を含む）１２および所定数の歌唱ルームであるカラオケルーム１３が仕切られており、当施設内にはインターホン通信網１４が構築される。上記管理ルーム１２には管理側インターホン２１が設置され、インターホン通信網１４に接続される。
【００１４】
上記カラオケルーム１３には、それぞれカラオケ演奏装置２２およびルームインターホン２３が設置されるもので、カラオケ演奏装置２２は、歌唱者の要求に応じて対応の楽曲映像を表示手段に表示させると共に、入力される歌唱者の歌唱音声を、増幅手段（ミキシングアンプ）を介して可変自在な音量でスピーカより出力させる通常のカラオケ機能を有し、当該歌唱者の歌唱音声を入力する音声入力手段を備え、入力した当該歌唱音声に基づく調整信号を出力する信号出力手段を備える（図３で説明する）。
【００１５】
上記ルームインターホン２３は、インターホン通信網１４に接続されるもので、上記カラオケ演奏装置２２の信号出力手段より入力される歌唱音声の有無に応じた調整信号に基づいて受話音量を調整する受話音量設定手段を備えるものである（図２で説明する）。なお、カラオケ演奏装置２２の上記信号出力手段は、調整信号として、歌唱音声が入力されているときには例えば「１」レベルの信号を出力し、歌唱音声が入力されていないときには当該ルームインターホン２３に対して例えば「０」レベルの信号を出力するものとする。
【００１６】
ここで、図２に、図１のルームインターホンのブロック構成図を示す。図２において、ルームインターホン２３は、送受話のための制御回路３１、増幅回路３２、通信回路３３、呼出用スピーカ３４、送受話器３５（受話スピーカ３６、送話マイク３７）および送受話フック３８を備えるもので、従前のインターホンの構成部分と同様であり、説明を省略する。この場合、制御回路３１および増幅回路３２が本発明に関連する部分で機能が付加される。また、ルームインターホン２３は、受話音量設定手段である受話音量設定回路３９、インタフェース回路４０および外部入力端子４０Ａを備える。
【００１７】
ここで、上記外部入力端子４０Ａは、後述のカラオケ演奏装置２２の信号出力手段（図３に示す外部端子）と信号線で接続され、インタフェース回路４０を介して上記調整信号を入力する。そして、上記受話音量設定回路３９が、入力される調整信号に基づいて受話音量を調整するための利得設定信号を生成する。この場合、制御回路３１は、受話音量設定回路３９からの利得設定信号に基づいて増幅回路３２の利得を切り替える利得調整信号（例えば制御電流）を生成し、増幅回路３２に設けられる利得可変素子（例えばトランジスタ等）を制御して増幅回路３２からの出力音量を変化させるものである。
【００１８】
すなわち、上記ルームインターホン２３は、まず、カラオケ演奏装置２２より入力された歌唱音声信号有無の調整信号に基づいて受話音量設定回路３９が音量を切り替えさせるための利得設定信号を生成し、制御回路３１が当該利得設定信号に基づき利得調整信号を増幅回路３２に送出して増幅回路３２の利得を切り替えさせる。
【００１９】
そこで、例えば管理側インターホン２１よりインターホン通信網１４を介して呼び出しがあると、当該呼出信号が通信回路３３を介して制御回路３１に入力され、増幅回路３２を介して呼出用スピーカ３４より呼出音を出力させる。続いて、カラオケルーム１３側の客が送受話器３５を取ることによって送受話フック３８がスイッチング（オンスイッチング、オフスイッチングのいずれでもよい）され、送受話器３５の受話スピーカ３６および送話マイク３７より通話可能となる。
【００２０】
そして、入力した上記調整信号に基づいて切り替えられた利得で増幅回路３２が受話音量を増幅させるものである。本実施形態では、歌唱音声が無の場合には受話音量の増幅を低利得とする利得調整信号によって増幅回路３２による受話音量の増幅度が低く設定され、歌唱音声が有の場合には受話音量の増幅を高利得とする利得調整信号によって増幅回路３２による受話音量の増幅度が高く設定される。すなわち、ここでは例えば歌唱音声の有無によって、受話音量を単に二段階で再生させるが、三段階以上の多段階でもよい。
【００２１】
続いて、図３に、図１のカラオケ演奏装置のブロック構成図を示す。図３において、カラオケ演奏装置２２は、処理回路基板で構成される処理装置４１に対して、増幅手段であるミキシングアンプ４２および当該ミキシングアンプ４２に所定数のマイク４３とスピーカ４４が接続されると共に、操作パネル４５、表示手段４６および楽曲ＤＢ（データベース）４７が信号線により接続され、無線式で遠隔入出力端末４８が接続される。
【００２２】
上記ミキシングアンプ４２は、マイク４３より入力した歌唱者の歌唱音声と、後述の音楽曲出力手段より送られてくる演奏対象の楽曲をミキシングし、増幅してスピーカ４４より出力させると共に、当該入力した歌唱音声をスルーさせて後述の音声入力手段に出力する。上記操作パネル４５は、演奏楽曲、歌唱音声に対する種々の調節を行うボタンやツマミ類が可変抵抗器等の電子素子に直結されたもので、エコーや左右バランス、スピーカ４４からの少なくとも歌唱音声の出力音量のボリウム等を備える。上記表示手段４６は、映像データ（歌詞映像データ、背景映像データ等）を表示させることを基本的機能とするもので、例えば、ブラウン管（ＣＲＴ）ディスプレイ、液晶ディスプレイ（ＬＣＤ）、プラズマディスプレイ（ＰＤＰ）等がある。
【００２３】
上記楽曲ＤＢ４７は、例えばハードディスク（ＨＤＤ）等の記憶装置であり、少なくとも、楽曲元データ（ファイル）、楽曲コード（テーブル）および映像データ（ファイル）を備える。楽曲元データ（ファイル）は、楽曲コード毎にデジタル的な楽曲データおよび演奏時間を保存するもので、当該楽曲（ファイル）コードは楽曲コードと楽曲名が関連付けられている。映像データ（ファイル）は、楽曲（コード）に対応した歌詞映像データおよび背景映像データを保存する。
【００２４】
上記遠隔入出力端末４８はＧＵＩ機能を付帯し、例えば液晶ディスプレイ（ＬＣＤ）とタッチセンサとを積層した入出力用の利用者インタフェースが搭載され、当該タッチセンサにより楽曲の選択などのデータを入力することができるものである。
【００２５】
一方、処理装置４１は、上述のように処理回路基板で構成され、バス５１、制御手段５２、ＲＡＭ５３、楽曲検索手段５４、音声入力手段５５、音楽曲出力手段５６、操作設定手段５７、信号出力手段５８、再生制御手段５９および送受信手段６０を適宜備え、外部端子６１を備える。
【００２６】
上記制御手段５２は、このシステムを統括的に制御するもので、例えば物理的なＣＰＵに制御のためのプログラムが格納され、当該プログラムはＲＡＭ５３等に展開されて実行される。当該ＲＡＭ５３は、種々のプログラムを展開、実行させるための作業領域としての役割をするものであり、例えば半導体メモリで構成され、仮想的にハードディスク上に構築される場合をも含む概念である。上記楽曲検索手段５４は、例えば新曲、歌手名、曲名、ジャンルおよび履歴のそれぞれについて、上記楽曲ＤＢ４７に記憶されている楽曲を検索するためのもので、そのためのプログラムがＲＡＭ５３に展開されて実行される。
【００２７】
上記音声入力手段５５は、マイク４３からミキシングアンプ４２をスルーして入力されるアナログ音声データをＡ／Ｄコンバータ（図示省略）を介してデジタル変換する処理を主体とするもので、例えば歌唱者の歌唱採点を行う図示しない採点手段等の機能を有する場合に従前より備える機能である。そして、当該音声入力手段５５は、当該マイク４３から歌唱者の歌唱音声データが入力された場合の歌唱音声の有無に応じた歌唱有無信号を生成して信号出力手段５８に送出する。この場合、マイク４３から入力される音は、周囲の人の声音や演奏音も含まれるが、当該歌唱者の声音と周囲の音とは音圧レベルが異なることから、当該音圧レベルを適宜設定した閾値で判別するプログラム等の手段を備えるものである。
【００２８】
上記音楽曲出力手段５６は、楽曲ＤＢ４７より抽出された楽曲の楽曲元データをデジタル再生し、アナログ変換してミキシングアンプ４２に出力するもので、そのためのプログラムがＲＡＭ５３に展開されて実行される。上記操作設定手段５７は、操作パネル４５におけるマイク音量、演奏楽曲音量、全体音量等の音量出力の種々のボリウム等で設定された種々の設定値に基づいてミキシングアンプ４２の設定を制御するもので、そのためのプログラムがＲＡＭ５３に展開されて実行される。
【００２９】
上記信号出力手段５８は、外部端子６１を介して接続されたルームインターホン２３に上記音声入力手段５５で生成された歌唱有無信号に応じた調整信号（例えば上記「１」レベルの信号または「０」レベルの信号）を出力する。この調整信号は、歌唱音声の有無毎に実時間で外部端子６１に反映される。上記再生制御手段５９は、上記遠隔入出力端末４８に種々の表示をさせるための映像を後述の送受信手段６０を介して出力すると共に、選択された楽曲コードに対応した映像データを当該楽曲に同期させて表示手段４６に出力するもので、そのためのプログラムがＲＡＭ５３に展開されて実行されるものである。
【００３０】
次に、図４に、図３のカラオケ演奏装置による受話音量調整のための信号出力、およびルームインターホンの受話音量可変の処理フローチャートを示す。図４（Ａ）はカラオケ演奏装置による受話音量調整のための信号出力の処理フローチャートであり、図４（Ｂ）はルームインターホンの受話音量可変の処理フローチャートである。図４（Ａ）、（Ｂ）において、まず、前提としてカラオケ演奏装置２２の外部端子６１には上記音声入力手段５５より信号出力手段５８を介して歌唱音声有無に基づく調整信号が出力されており、当該外部端子６１にルームインターホン２３の外部入力端子４０Ａが接続されている。
【００３１】
図４（Ａ）において、カラオケ演奏装置２２の音声入力手段５５によりマイク４３から歌唱音声データが入力されたか否かが監視され（ステップ（Ｓ）１）、当該歌唱音声データが入力されていない場合には、例えば上述のように「０」レベルの信号の歌唱有無信号を生成して信号出力手段５８に送出し（Ｓ２）、これに応じて信号出力手段５８が外部端子６１に「０」信号の調整信号を反映させる（Ｓ３）。一方、当該歌唱音声データが入力された場合には（Ｓ１）、例えば上述のように「１」レベルの信号の歌唱有無信号を生成して信号出力手段５８に送出し（Ｓ４）、これに応じて信号出力手段５８が外部端子６１に「１」信号の調整信号を反映させるものである（Ｓ５）。これら調整信号は、外部端子６１に対して歌唱者の歌唱に応じて実時間に反映される。
【００３２】
ルームインターホン２３では、図４（Ｂ）に示すように、受話音量設定回路３９が外部入力端子４０Ａ、ＩＦ回路４０を介してカラオケ演奏装置２２からの調整信号が入力されることで（Ｓ１１）、当該調整信号が上述のように例えば「１」レベルの調整信号か、「０」レベルの調整信号かが判別される（Ｓ１２）。歌唱者による歌唱が行われていない「０」レベルの調整信号が入力されている場合は（Ｓ１２）、利得を低利得とする利得設定信号を生成して制御回路３１に送出する（Ｓ１３）。制御回路３１では、受話音量の増幅度を低利得とする利得調整信号を生成して増幅回路３２の利得調整を行う（Ｓ１４）。
【００３３】
一方、歌唱者による歌唱が行われている「１」レベルの調整信号が入力されている場合は（Ｓ１２）、利得を高利得とする利得設定信号を生成して制御回路３１に送出する（Ｓ１５）。制御回路３１では、受話音量の増幅度を高利得とする利得調整信号を生成して増幅回路３２の利得調整を行うものである（Ｓ１６）。なお、上記調整信号は、カラオケ演奏装置２２においては歌唱者の歌唱によって常に外部端子６１に反映されており、これに応じてルームインターホン２３における受話音量設定回路３９および制御回路３１においても実時間で対応した利得調整信号が増幅回路３２に送出されて受話音量の大小に反映されるものである。
【００３４】
そこで、図５に、ルームインターホンにおける送受話の処理フローチャートを示す。図５において、例えば管理ルーム１２の管理側インターホン２１よりインターホン通信網１４を介して当該ルームインターホン２３に呼び出しがあると（Ｓ２１）、通信回路３３を介して入力される呼出信号に基づいて制御回路３１が増幅回路３２に呼出音出力信号を送出して呼出音を呼出用スピーカ３４より出力させる（Ｓ２２）。これに応じてルームインターホン２３の送受話器３５が取られて送受話フック３８がスイッチングすることで通話可能となる（Ｓ２３）。
【００３５】
通話状態では、受信した音声信号が通信回路３３および制御回路３１を介して増幅回路３２に入力されたときに（Ｓ２４）、当該増幅回路３２では、上記カラオケ演奏装置２２より入力した歌唱音声有無の調整信号に応じて調整された低利得または高利得で増幅した音量で当該音声信号を送受話器３５の受話スピーカ３６より再生するものである（Ｓ２５）。
【００３６】
このように、カラオケルーム１３内で歌唱されている歌唱音声の有無に関わらず通話性を向上させることができ、新たにセンサや検出回路を設けることなく既存の設備の範囲内で適用することができ、安価に構成させることができるものである。
【００３７】
次に、図６に、本発明に係るカラオケ施設のインターホンシステムの第２実施形態におけるカラオケ演奏装置による受話音量調整のための信号出力、およびルームインターホンの受話音量可変の処理フローチャートを示す。図６（Ａ）はカラオケ演奏装置による受話音量調整のための信号出力の処理フローチャートであり、図６（Ｂ）はルームインターホンの受話音量可変の処理フローチャートである。
【００３８】
この第２実施形態においては、カラオケ演奏装置の操作設定手段５７が上述のように操作パネル４５におけるマイク音量、演奏楽曲音量、全体音量等の音量出力の種々のボリウム等で設定された種々の設定値に基づいてミキシングアンプ４２の設定を制御すると共に、信号出力手段５８に対して操作パネル４５からのマイク音量ボリウムの操作に応じたマイク音量のレベル信号を送出する。また、音声入力手段５５からは、上述と同様に信号出力手段５８に対して当該マイク４３から歌唱者の歌唱音声データが入力された場合の歌唱音声の有無に応じた歌唱有無信号を生成して信号出力手段５８に送出する。
【００３９】
そこで、図６（Ａ）において、カラオケ演奏装置２２の信号出力手段５８は、操作パネル４５からのマイク音量ボリウムの操作に応じた音量レベル信号を操作設定手段５７より入力すると共に、音声入力手段５５より歌唱有無信号の入力する（Ｓ３１）。当該信号出力手段５８では、歌唱有無信号が歌唱音声データの入力されていない信号の場合には（Ｓ３２）、例えば上述のように「０」レベルの信号の歌唱有無信号を生成して信号出力手段５８に送出し（Ｓ３３）、これに応じて信号出力手段５８が外部端子６１に「０」信号の調整信号を反映させる（Ｓ３４）。
【００４０】
一方、当該歌唱音声データが入力された場合には、例えば上述のように操作設定手段５６より入力したマイク音量ボリウムの音量レベル信号を外部端子６１に調整信号として反映させるものである（Ｓ３５）。これら調整信号は、外部端子６１に対して歌唱者の歌唱に応じて実時間に反映される。
【００４１】
ルームインターホン２３では、図６（Ｂ）に示すように、受話音量設定回路３９が外部入力端子４０Ａ、ＩＦ回路４０を介してカラオケ演奏装置２２からの調整信号が入力されることで（Ｓ４１）、当該調整信号が上述のように例えば音量レベルの調整信号か、「０」レベルの調整信号かが判別される（Ｓ４２）。歌唱者による歌唱が行われていない「０」レベルの調整信号が入力されている場合は（Ｓ４２）、利得を低利得とする利得設定信号を生成して制御回路３１に送出する（Ｓ４３）。制御回路３１では、受話音量の増幅度を低利得とする利得調整信号を生成して増幅回路３２の利得調整を行う（Ｓ４４）。
【００４２】
一方、歌唱者による歌唱が行われている音量レベルの調整信号が入力されている場合は（Ｓ４２）、利得を音量レベルに比例させた利得設定信号を生成して制御回路３１に送出する（Ｓ４５）。制御回路３１では、受話音量の増幅度を音量レベルに比例させた利得調整信号を生成して増幅回路３２の利得調整を行うものである（Ｓ４６）。なお、上記調整信号が歌唱者の歌唱によって常に外部端子６１に反映されて、ルームインターホン２３においても実時間で増幅回路３２の増幅度の利得に反映されることは上記と同様である。
【００４３】
そこで、図７に、図６のルームインターホンにおける送受話の処理フローチャートを示す。図７において、例えば管理ルーム１２の管理側インターホン２１よりインターホン通信網１４を介して当該ルームインターホン２３に呼び出しがあると（Ｓ５１）、通信回路３３を介して入力される呼出信号に基づいて制御回路３１が増幅回路３２に呼出音出力信号を送出して呼出音を呼出用スピーカ３４より出力させる（Ｓ５２）。これに応じてルームインターホン２３の送受話器３５が取られて送受話フック３８がスイッチングすることで通話可能となる（Ｓ５３）。
【００４４】
通話状態では、受信した音声信号が通信回路３３および制御回路３１を介して増幅回路３２に入力されたときに（Ｓ５４）、当該増幅回路３２では、カラオケ演奏装置２２からの歌唱有無信号の調整信号に応じて調整された低利得又は音量レベルに比例させた利得で増幅した音声信号を送受話器の受話スピーカより再生するものである（Ｓ５５）。
【００４５】
このように、上記同様に、カラオケルーム１３内で歌唱されている歌唱音声の有無に関わらず通話性を向上させることができ、新たにセンサや検出回路を設けることなく既存の設備の範囲内で適用することができ、安価に構成させることができるものである。
【００４６】
ところで、上記各実施形態では、カラオケ演奏装置２２におけるマイク音量の調節は、操作パネル４５の他に、遠隔入出力端末４８からでも行うことが可能であるが、この場合においても当該マイク音量調節の音量レベル信号は送受信手段６０を介して操作設定手段５７に入力させることとすれば同様に行うことができるものである。
【００４７】
また、上記各実施形態では、カラオケ演奏装置２２の外部端子６１と、ルームインターホン２３の外部入力端子４０Ａとを信号線により接続させた場合を示したが、無線方式によっても接続することができるもので、例えばカラオケ演奏装置２２の外部端子６１に送信機を接続し、ルームインターホン２３の外部入力端子４０Ａに受信機を接続すればよい。特に、信号線を引き廻すことが困難な場合に有効である。
【産業上の利用可能性】
【００４８】
本発明のカラオケ施設のインターホンシステムは、管理ルームと歌唱ルーム間、歌唱ルーム同士でインターホンにより送受話を行う場合に適する。
【図面の簡単な説明】
【００４９】
【図１】本発明に係るカラオケ施設のインターホンシステムの第１実施形態における全体構築の構成図である。
【図２】図１のルームインターホンのブロック構成図である。
【図３】図１のカラオケ演奏装置のブロック構成図である。
【図４】図３のカラオケ演奏装置による受話音量調整のための信号出力、およびルームインターホンの受話音量可変の処理フローチャートである。
【図５】ルームインターホンにおける送受話の処理フローチャートである。
【図６】本発明に係るカラオケ施設のインターホンシステムの第２実施形態におけるカラオケ演奏装置による受話音量調整のための信号出力、およびルームインターホンの受話音量可変の処理フローチャートである。
【図７】図６のルームインターホンにおける送受話の処理フローチャートである。
【符号の説明】
【００５０】
１１            インターホンシステム
１２            管理ルーム
１３            カラオケルーム
１４            インターホン通信網
２１            管理側インターホン
２２            カラオケ演奏装置
２３            ルームインターホン
３１            制御回路
３２            増幅回路
３５            送受話器
３６            受話スピーカ
３９            受話音量設定回路
４０Ａ          外部入力端子
４１            処理装置
４３            マイク
５５            音声入力手段
６１            外部端子
【図１】
2006337534.tif 000003
【図２】
2006337534.tif 000004
【図３】
2006337534.tif 000005
【図４】
2006337534.tif 000006
【図５】
2006337534.tif 000007
【図６】
2006337534.tif 000008
【図７】
2006337534.tif 000009